(57)【要約】【課題】  用紙情報データベースに登録される用紙の属性情報のパラメータには、用紙の特性に基づく属性情報のパラメータ（基本パラメータ）と、その用紙情報の特性にあったデバイスの最適制御を行うための属性情報のパラメータ（詳細パラメータ）とがある。  しかしながら、用紙情報データベースに登録される用紙の基本パラメータがユーザによって変更された場合、変更された基本パラメータに対応する詳細パラメータが有ったとしても、ユーザは、その詳細パラメータを確認することができない。【解決手段】  処理が実行されるシートの特性に基づく第１の属性情報のパラメータが変更されたことに従って、当該処理を制御するための複数の第２の属性情報のうち当該第１の属性情報に対応する当該第２の属性情報をユーザに通知することを特徴とする。【選択図】  図９
2016175253.tif 000002
【特許請求の範囲】
【請求項１】
シートに処理を実行するシート処理手段と、
前記シート処理手段によって処理が実行されるシートの特性に基づく第１の属性情報のパラメータ、及び、前記シート処理手段によって実行される処理を制御するための複数の第２の属性情報のパラメータを前記シートごとに記憶する第１の記憶手段と、
前記第１の属性情報に対応する前記第２の属性情報を記憶する第２の記憶手段と、
前記第１の記憶手段に記憶された前記シートの前記第１の属性情報のパラメータを変更する変更手段と、
前記変更手段によって前記第１の属性情報のパラメータが変更されたことに従って、複数の前記第２の属性情報のうち前記第１の属性情報に対応して前記第２の記憶手段に記憶された前記第２の属性情報を通知する通知手段と、
を有することを特徴とするシート処理装置。
【請求項２】
前記第１の属性情報に対応する前記第２の属性情報をユーザによって設定する設定手段を更に有し、
前記第２の記憶手段は、前記設定手段によって設定された前記第２の属性情報を記憶する
ことを特徴とする請求項１に記載のシート処理装置。
【請求項３】
前記第２の記憶手段は、前記変更手段によって前記第１の属性情報のパラメータが変更されたことに対応して、パラメータの変更をユーザに確認させる前記第２の属性情報を記憶する
ことを特徴とする請求項１又は２に記載のシート処理装置。
【請求項４】
前記第２の記憶手段は、前記変更手段によって前記第１の属性情報のパラメータが変更されたことに対応して、パラメータをデフォルトの値に変更させる前記第２の属性情報を記憶する
ことを特徴とする請求項１乃至３のいずれか１項に記載のシート処理装置。
【請求項５】
前記通知手段は、複数の前記第２の属性情報のうち前記第１の属性情報に対応して前記第２の記憶手段に記憶された前記第２の属性情報をメッセージによって通知する
ことを特徴とする請求項１乃至４のいずれか１項に記載のシート処理装置。
【請求項６】
前記第１の記憶手段に記憶された前記シートの前記第１の属性情報のパラメータ、及び、複数の前記第２の属性情報のパラメータを表示する表示手段を更に有し、
前記通知手段は、複数の前記第２の属性情報のうち前記第１の属性情報に対応して前記第２の記憶手段に記憶された前記第２の属性情報を、前記表示手段に反転させて表示させることにより通知する
ことを特徴とする請求項１乃至５のいずれか１項に記載のシート処理装置。
【請求項７】
前記第１の属性情報は、坪量、表面性、形状、又は色である
ことを特徴とする請求項１乃至６のいずれか１項に記載のシート処理装置。
【請求項８】
前記第２の属性情報は、封筒フラップ、画像位置、先端余白、サドル折位置、クリープ補正量、ファン風量、２次転写電圧、カール補正量、又は光沢調整である
ことを特徴とする請求項１乃至７のいずれか１項に記載のシート処理装置。
【請求項９】
シートに処理を実行するシート処理手段を有するシート処理装置の制御方法であって、
前記シート処理手段によって処理が実行されるシートの特性に基づく第１の属性情報のパラメータ、及び、前記シート処理手段によって実行される処理を制御するための複数の第２の属性情報のパラメータを前記シートごとに記憶する第１の記憶工程と、
前記第１の属性情報に対応する前記第２の属性情報を記憶する第２の記憶工程と、
前記第１の記憶工程に記憶された前記シートの前記第１の属性情報のパラメータを変更する変更工程と、
前記変更工程で前記第１の属性情報のパラメータが変更されたことに従って、複数の前記第２の属性情報のうち前記第１の属性情報に対応して前記第２の記憶工程に記憶された前記第２の属性情報を通知する通知工程と、
を有することを特徴とするシート処理装置の制御方法。
【請求項１０】
請求項９に記載のシート処理装置の制御方法を、コンピュータに実行させるためのプログラム。
【請求項１１】
請求項１０に記載のプログラムを格納した、コンピュータで読み取り可能な記憶媒体。
【発明の詳細な説明】
【技術分野】
【０００１】
本発明は、シートに処理を実行するシート処理装置、シート処理装置の制御方法、プログラム、及び記憶媒体に関する。
【背景技術】
【０００２】
用紙ごとの属性情報のパラメータをユーザが事前に登録するための用紙情報データベースがある。ユーザは、印刷に使用する用紙を用紙情報データベースから選択する。そして、用紙情報データベースからユーザによって選択された用紙の属性情報のパラメータは、印刷装置が備えるカセットの設定値として保存される。
【０００３】
用紙の属性情報のパラメータは、基本パラメータと詳細パラメータを含む。基本パラメータとは、名称、坪量、表面性、形状、色等といった用紙の特性に基づく属性情報のパラメータのことである。一方、詳細パラメータとは、定着温度の調整、二次転写電圧の調整、クリープ補正量の調整等といったその用紙情報の特性にあったデバイスの最適制御を行うための属性情報のパラメータのことである。例えば、中綴じ製本時に内側の用紙と外側の用紙で小口側の飛び出し方が異なる。そこで、画像が印刷された部分が断裁時に切られないようにするために、内側の用紙と外側の用紙とで用紙と画像の位置関係を徐々にずらして（ガターシフトと呼ぶ。）、印刷が行われる。クリープ補正量とは、このガターシフトにおける各ページのずれ量のことである。
【０００４】
ユーザは、用紙情報データベースに登録されている用紙の属性情報のパラメータ（基本パラメータ、及び詳細パラメータ）を任意に編集することができる。ユーザは、用紙情報データベースに登録されている用紙の基本パラメータを変更することによって、例えば、用紙の名称をユーザ好みの名称に変更したり、用紙の坪量を１ｇｓｍ単位で変更したりする。また、ユーザは、用紙情報データベースに登録されている用紙の詳細パラメータを変更することによって、例えば、プリンタ部のプロセス条件を変更したり、画像の最適化や仕上がりの適正化をしたりする（特許文献１参照）。
【先行技術文献】
【特許文献】
【０００５】
【特許文献１】特開２００７−３０１９１１号公報
【発明の概要】
【発明が解決しようとする課題】
【０００６】
従来、用紙情報データベースに登録される基本パラメータや詳細パラメータは、ユーザによって独立に変更される。一方、基本パラメータの変更に応じて、更に変更することが望ましい詳細パラメータがある。例えば、基本パラメータである「坪量」を変更した場合、紙の厚みが変化する。このため、変化した紙の厚みに応じて、例えば、詳細パラメータである「クリープ補正量」も併せて変更することが望ましい。
【０００７】
しかしながら、用紙情報データベースに登録される用紙の基本パラメータがユーザによって変更された場合、変更された基本パラメータに対応する詳細パラメータが有ったとしても、ユーザは、その詳細パラメータを確認することができない。
【０００８】
本発明は、上記の課題に鑑みてなされたものである。処理が実行されるシートの特性に基づく第１の属性情報のパラメータが変更されたことに従って、当該処理を制御するための複数の第２の属性情報のうち当該第１の属性情報に対応する当該第２の属性情報を、ユーザが確認できる装置や方法等を提供する事にある。
【課題を解決するための手段】
【０００９】
上記目的を達成するために本発明の一態様に係るシート処理装置は以下のような構成を備える。シートに処理を実行するシート処理手段と、前記シート処理手段によって処理が実行されるシートの特性に基づく第１の属性情報のパラメータ、及び、前記シート処理手段によって実行される処理を制御するための複数の第２の属性情報のパラメータを前記シートごとに記憶する第１の記憶手段と、前記第１の属性情報に対応する前記第２の属性情報を記憶する第２の記憶手段と、前記第１の記憶手段に記憶された前記シートの前記第１の属性情報のパラメータを変更する変更手段と、前記変更手段によって前記第１の属性情報のパラメータが変更されたことに従って、複数の前記第２の属性情報のうち前記第１の属性情報に対応して前記第２の記憶手段に記憶された前記第２の属性情報を通知する通知手段と、を有することを特徴とする。
【発明の効果】
【００１０】
本発明によれば、処理が実行されるシートの特性に基づく第１の属性情報のパラメータが変更されたことに従って、当該処理を制御するための複数の第２の属性情報のうち当該第１の属性情報に対応する当該第２の属性情報を、ユーザが確認することができる。
【図面の簡単な説明】
【００１１】
【図１】本実施形態に係る印刷システムの構成を説明するための図である。
【図２】本実施形態に係る印刷システムの構成を示すブロック図である。
【図３】本実施形態に係るコントローラ部のソフトウェアモジュールのブロック図である。
【図４】本実施形態に係るテーブルの一例である。
【図５】本実施形態に係る画面の構成を説明するための図である。
【図６】本実施形態に係る画面の構成を説明するための図である。
【図７】本実施形態に係る画面の構成を説明するための図である。
【図８】第１の実施形態に係る制御例を説明するためのフローチャートである。
【図９】第１の実施形態に係る制御例を説明するためのフローチャートである。
【図１０】第１の実施形態に係るテーブルの一例である。
【図１１】第１の実施形態に係る画面の構成を説明するための図である。
【図１２】その他の実施形態に係る画面の構成を説明するための図である。
【発明を実施するための形態】
【００１２】
以下、本発明の実施形態について添付図面を参照して詳しく説明する。尚、以下の実施形態は特許請求の範囲に係る本発明を限定するものではなく、また本実施形態で説明されている特徴の組み合わせの全てが本発明の解決手段に必須のものとは限らない。
【００１３】
［第１の実施形態］
本発明の第１の実施形態に係る印刷システムの構成について図１を用いて説明する。
【００１４】
第１の実施形態では、ＣＰＵ２０５は、処理が実行されるシートの特性に基づく第１の属性情報のパラメータが変更された事に従って、当該処理を制御するための複数の第２の属性情報のうち当該第１の属性情報に対応する当該第２の属性情報をユーザに通知する。これによって、処理が実行されるシートの特性に基づく第１の属性情報のパラメータが変更されたことに従って、当該処理を制御するための複数の第２の属性情報のうち当該第１の属性情報に対応する当該第２の属性情報を、ユーザが確認できるようにする。
【００１５】
以下、詳細に説明する。
【００１６】
＜システム構成＞
本実施形態に係る印刷システムは、印刷装置の一例であるＭＦＰ１０２（Ｍｕｌｔｉ  Ｆｕｎｃｔｉｏｎａｌ  Ｐｅｒｉｐｈｅｒａｌ）と、外部の情報処理装置であるＰＣ１０１（コンピュータ）１０１で構成される。
【００１７】
尚、図１に示すように、ＭＦＰ１０２には、大量のシートを積載するためのスタッカ１０３が連結されている。また、ＭＦＰ１０２には、ステープル、シフト、中綴じ製本等の機能を有するフィニッシャ１０４が連結されている。尚、シートに処理を実行するシート処理装置としての構成を有していれば、スタッカ１０３、及びフィニッシャ１０４がＭＦＰ１０２に連結されていることは、本発明に必須の構成ではない。即ち、スタッカ１０３、又はフィニッシャ１０４のいずれか一方がＭＦＰ１０２に連結されていてもよい。もしくは、スタッカ１０３、及びフィニッシャ１０４のいずれもＭＦＰ１０２に連結されていなくてもよい。
【００１８】
尚、ＭＦＰ１０２は、原稿を読み取って画像データを生成する画像読取機能と、生成した画像データに基づいて画像をシートに印刷する印刷機能（コピー機能）を備えている。また、ＭＦＰ１０２は、ＰＣ１０１等の外部装置から受信した印刷ジョブの印刷データに基づいて文字や画像をシートに印刷する印刷機能（ＰＣプリント機能）を備えている。印刷機能はカラー、或いはモノクロでプリントができればよい。
【００１９】
ＭＦＰ１０２は、ＰＣ１０１と、ローカルエリアネットワーク等のＬＡＮ１０５（Ｌｏｃａｌ  Ａｒｅａ  Ｎｅｔｗｏｒｋ）を介して接続されており、ＰＣ１０１と通信を行う。
【００２０】
本実施形態では、ＰＣ１０１は、ＬＡＮ１０５等のネットワークを介してＭＦＰ１０２に印刷ジョブを投入する。そして、ＭＦＰ１０２は、ＬＡＮ１０５等のネットワークを介してＰＣ１０１から投入された印刷ジョブを処理する。
【００２１】
また、本実施形態では、ＭＦＰ１０２とＰＣ１０１がＬＡＮ１０５を介して接続されている例を説明するが、ＭＦＰ１０２とＰＣ１０１はインターネット等のＷＡＮ（Ｗｉｄｅ  Ａｒｅａ  Ｎｅｔｗｏｒｋ）を介して接続されてもよい。もしくは、ＭＦＰ１０２とＰＣ１０１はＵＳＢ（Ｕｎｉｖｅｒｓａｌ  Ｓｅｒｉａｌ  Ｂｕｓ）ケーブルを介して接続されてもよい。また、ＭＦＰ１０２とＰＣ１０１はＷｉ−Ｆｉ（Ｗｉｒｅｌｅｓｓ  Ｆｉｄｅｌｉｔｙ）やＢｌｕｅｔｏｏｔｈ（登録商標）などの無線通信によって通信可能に構成されてもよい。
【００２２】
ＰＣ１０１は、例えば、アプリケーションソフトウェアによって画像データを生成し、生成した画像データをＭＦＰ１０２に送信する。また、ＰＣ１０１は、例えば、アプリケーションソフトウェアやプリンタドライバを用いて、ＰＤＬ（Ｐａｇｅ  Ｄｅｓｃｒｉｐｔｉｏｎ  Ｌａｎｇｕａｇｅ）データを生成する。そして、図２で後述するコントローラ部２０１は、ＰＣ１０１からＬＡＮ１０５を経由して送られてきたＰＤＬデータを、ラスタライズすることにより、ビットマップデータを生成する。尚、ラスタライズを実行するプログラム等は、図２で後述するＲＯＭ２０６又はＨＤＤ２０７に記憶されている。
【００２３】
尚、本実施形態では、ＰＣ１０１を外部装置の一例として説明するが、これに限られない。外部装置は、ＰＤＡ（ｐｅｒｓｏｎａｌ  ｄｉｇｉｔａｌ  ａｓｓｉｓｔａｎｔ）やスマートフォン等の携帯情報端末、ネットワーク接続機器、又は外部専用装置等であっても良い。
【００２４】
＜コントローラ部の構成＞
続いて、本実施形態に係る印刷システムの構成を示すブロック図について図２を用いて説明する。
【００２５】
ＭＦＰ１０２は、後述するコントローラ部（制御部）２０１、プリンタエンジン２０２、スキャナ２０３、操作部２０４を有する。これらは、電気的に接続されており、互いに制御コマンドやデータを送受信する。
【００２６】
コントローラ部２０１は、ＣＰＵ２０５、ＲＯＭ２０６、ＲＡＭ２１３、ＨＤＤ２０７、ネットワークＩ／Ｆ２０８、リーダＩ／Ｆ２１０、及びエンジンＩ／Ｆ２０９を有する。これらはシステムバス２１１上に配置され、電気的に接続されており、互いに制御コマンドやデータを送受信する。
【００２７】
ＣＰＵ２０５は、ＭＦＰ１０２の全体を制御するプロセッサーである。ＣＰＵ２０５は、ＲＯＭ２０６に記憶された制御プログラム等に基づいて、接続中の各種デバイスとのアクセスを統括的に制御する。また、ＣＰＵ２０５は、コントローラ部２０１の内部で行われる各種処理を統括的に制御する。
【００２８】
ＣＰＵ２０５は、例えば、ＭＦＰ１０２が備える、画像入力デバイスであるスキャナ２０３、画像出力デバイスであるプリンタエンジン２０２、及び、各種ユニット（操作部２０４等）の処理や動作を制御する。
【００２９】
ネットワークＩ／Ｆ２０８は、ＬＡＮ１０５を介してＰＣ１０１等と通信を行うためのインタフェースである。
【００３０】
リーダＩ／Ｆ２１０は、スキャナ２０３と接続するためのインタフェースである。
【００３１】
エンジンＩ／Ｆ２０９は、プリンタエンジン２０２と接続するためのインタフェースである。
【００３２】
コントローラ部２０１は、リーダＩ／Ｆ２１０やエンジンＩ／Ｆ２０９を通じて画像データの同期系／非同期系の変換や制御を行う。
【００３３】
スキャナ２０３は、光学センサ（不図示）を用いて原稿（シート）の画像をスキャンし、画像データを生成する。尚、スキャナ２０３は、自動原稿搬送装置（Ａｕｔｏ  Ｄｏｃｕｍｅｎｔ  Ｆｅｅｄｅｒ：ＡＤＦ）を用いて原稿をスキャンする構成であっても、圧板を用いて原稿をスキャンする構成であってもよく、その両方の構成を備えていてもよい。
【００３４】
プリンタエンジン２０２は、画像形成部（不図示）と、定着ユニット（不図示）を有する。プリンタエンジン２０２は、エンジンＩ／Ｆ２０９を介して画像データを受け取り、当該画像データに基づいてシートに画像を形成する。また、プリンタエンジン２０２は、スタッカ１０３、及びフィニッシャ１０４の制御を行う。
【００３５】
操作部２０４は、ユーザインタフェース部の一例に該当する。操作部２０４は、表示部（不図示）と、キー入力部（不図示）とを有する。また、操作部２０４は、表示部やキー入力部を介して、ユーザからの各種設定を受け付ける機能を有する。また、操作部２０４は、表示部を介して、ユーザに情報を提供する機能を有する。表示部は、ＬＣＤ（Ｌｉｑｕｉｄ  Ｃｒｙｓｔａｌ  Ｄｉｓｐｌａｙ：液晶表示部）と、ＬＣＤ上に貼られた透明電極（静電容量方式でもよい）とを有するタッチパネルシートとで構成される。ＬＣＤには、操作画面が表示される他、ＭＦＰ１０２の状態が表示される。キー入力部には、例えば、スキャンやコピー等の実行の開始を指示するために用いられるスタートキー（不図示）や、スキャンやコピー等の稼働中の動作の中止を指示するために用いられるストップキー（不図示）等がある。
【００３６】
ＲＡＭ２１３は、読み出し及び書き込み可能なメモリである。また、ＲＡＭ２１３は、ＣＰＵ２０５が動作するためのシステムワークメモリでもある。ＲＡＭ２１３には、スキャナ２０３やＰＣ１０１等から入力された画像データや、各種プログラムや設定情報等が記憶される。
【００３７】
ＲＯＭ２０６は、読み出し専用のメモリである。また、ＲＯＭ２０６は、ブートＲＯＭである。ＲＯＭ２０６には、システムのブートプログラムが予め記憶されている。
【００３８】
ＨＤＤ２０７は、主に、コンピュータを起動・動作させるために必要な情報（システムソフトウェア）が記憶される。また、ＨＤＤ２０７には、スキャナ２０３やＰＣ１０１等から入力された画像データが記憶される。また、ＨＤＤ２０７は、図３で後述する用紙情報データベース３０９としての機能を有する。用紙情報データベース３０９には、ＭＦＰ１０２における印刷に使用される用紙の属性値をリスト形式で管理するための用紙情報テーブル４００が格納される。なお、用紙情報テーブル４００の詳細については、図４で後述する。
【００３９】
ユーザは、操作部２０４の表示部に表示される選択画面（不図示）を用いて、用紙情報データベース３０９に格納されている用紙を任意に選択する。そして、ＣＰＵ２０５は、ユーザによって選択された用紙の基本属性のパラメータ、及び調整属性のパラメータを、シート処理装置によって処理される用紙を収納するためのシート収納部の設定値として設定する。尚、基本属性のパラメータ、及び調整属性のパラメータの詳細については、図４で後述する。
【００４０】
尚、コントローラ部２０１がＮＶＲＡＭ（不図示）を有している場合、システムソフトウェアや、画像データや、操作部２０４を介して受け付けた設定情報等をＮＶＲＡＭに記憶してもよい。
【００４１】
ＲＯＭ２０６又はＨＤＤ２０７には、ＣＰＵ２０５により実行される、後述するフローチャートの各種処理等を実行するために必要な各種の制御プログラムが記憶されている。ＣＰＵ２０５が、ＲＯＭ２０６又はＨＤＤ２０７に記憶されているプログラムを読み出して、ＲＡＭ２１３に当該プログラムを展開することにより、本実施形態に係る各種動作を実行する。
【００４２】
また、ＲＯＭ２０６又はＨＤＤ２０７には、ユーザインタフェース画面（以下、ＵＩ画面）を含む、操作部２０４の表示部（不図示）に各種のＵＩ画面を表示させるための表示制御プログラムも記憶されている。
【００４３】
また、ＲＯＭ２０６又はＨＤＤ２０７には、ＣＰＵ２０５が、ネットワークＩ／Ｆ２０８を介してＰＣ１０１から受信したＰＤＬデータを解釈し、ラスタイメージデータ（ビットマップ画像データ）に展開する動作を実行するプログラム等も記憶されている。
【００４４】
また、ＲＯＭ２０６又はＨＤＤ２０７には、ＣＰＵ２０５が、ネットワークＩ／Ｆ２０８を介してＰＣ１０１から受信した印刷ジョブを解釈して処理するためのプログラム等も記憶されている。
【００４５】
＜ソフトウェアモジュール構成＞
続いて、本実施形態に係るコントローラ部２０１のソフトウェアモジュールの構成を示すブロック図について図３を用いて説明する。各々のソフトウェアモジュールは、ＲＡＭ２１３に展開され、プログラムにより呼び出されてＣＰＵ２０５上で実行される。
【００４６】
印刷ジョブ受信部３０１は、ＰＣ１０１から送信された印刷ジョブをネットワークＩ／Ｆ２０８を介して受信する。そして、印刷ジョブ受信部３０１は、受信した印刷ジョブをＲＡＭ２１３上のスプーラ３０２に一時格納する。
【００４７】
印刷ジョブ展開部３０３は、ネットワークＩ／Ｆ２０８を介して受信した印刷ジョブを解析し、スプーラ３０２から展開してＰＤＬインタプリタ３０４に渡す。
【００４８】
ＰＤＬインタプリタ３０４は、印刷ジョブに含まれるＰＤＬデータを展開し、中間データフォーマットに変換する。
【００４９】
ＲＩＰ（Ｒａｓｔｅｒ  Ｉｍａｇｅ  Ｐｒｏｃｅｓｓｏｒ）処理部３０５は、変換された中間データフォーマットを受け取り、ＲＩＰ処理を行って画像データに変換する。そして、ＲＩＰ処理部３０５は、変換した画像データをスプーラ３０２に一時格納する。
【００５０】
印刷ジョブ制御部３０６は、スプーラ３０２に格納されている画像データに対する、プリンタエンジン２０２への制御コマンドを生成する。そして、印刷ジョブ制御部３０６は、エンジンＩ／Ｆ２０９を介して制御コマンドをプリンタエンジン２０２に送る。
【００５１】
画像データ送信部３０７は、エンジンＩ／Ｆ２０９を介して画像データをプリンタエンジン２０２に送信する。そして、プリンタエンジン２０２は、画像データ送信部３０７から送信された画像データに基づいてシートに画像を形成する。
【００５２】
用紙情報管理部３０８は、用紙情報データベース３０９に格納されている各々の用紙の属性値を管理する。尚、用紙情報データベース３０９に格納されるデータの詳細については、図４で後述する。
【００５３】
＜用紙情報データベースの構成＞
続いて、本実施形態に係る用紙情報データベース３０９に格納される用紙情報テーブル４００について図４を用いて説明する。用紙情報テーブル４００は、図４に示すように、印刷に使用される用紙（図４の例では、用紙４１８、用紙４１９、用紙４２０）の属性値をリスト形式で管理するものである。用紙情報テーブル４００には、図４に示すように、４０１から４１７までの各種の属性値が用紙ごとに登録される。以下、用紙情報テーブル４００に登録される４０１から４１７までの各種の属性値について説明する。
【００５４】
ＩＤ４０１は、用紙情報テーブル４００に登録される用紙を一意に特定するためのキー（ＩＤ）である。
【００５５】
名称４０２は、用紙の名称である。名称４０２として、例えば、１００文字まで登録することができる。
【００５６】
坪量４０３は、単位面積当たりの用紙の重量（ｇ／ｍ２）である。坪量４０３として、例えば、６０から３００までの整数で登録することができる。
【００５７】
サイズ４０４は、用紙のサイズである。サイズ４０４として、例えば、Ａ４、Ｂ５、レター、リーガル等の定形用紙、又は、任意の大きさを持つカスタム用紙が登録される。尚、カスタム用紙では、用紙の縦と横のそれぞれの長さが任意の数値で登録される。
【００５８】
表面性４０５は、用紙の手触り感である。表面性４０５として、例えば、上質紙、コート紙、再生紙、フィルム、マットコート紙のいずれかが登録される。
【００５９】
形状４０６は、用紙の形状である。形状４０６として、例えば、通常の用紙、インデックス紙、パンチずみ紙、封筒のいずれかが登録される。
【００６０】
色４０７は、用紙の色である。色４０７として、例えば、白、青、クリーム、グレイ、ピンク、オレンジ、みどり、赤、透明のいずれかが登録される。
【００６１】
封筒フラップ４０８は、用紙の形状が封筒である場合に、封筒のフラップの位置を表すものである。封筒フラップ４０８として、例えば、０（不定）、３（右）、９（左）が登録される。また、用紙の形状が封筒でない場合は、封筒フラップ４０８として、０（不定）が登録される。
【００６２】
画像位置（Ｘ）４０９は、主走査方向における画像位置の調整値である。画像位置（Ｘ）４０９として、例えば、先端の基準位置の調整値を−１０から＋１０ｍｍまで０．１ｍｍ単位で登録することができる。
【００６３】
画像位置（Ｙ）４１０は、搬送方向（副走査方向）における画像位置の調整値である。画像位置（Ｙ）４１０として、例えば、先端の基準位置の調整値を−１０から＋１０ｍｍまで０．１ｍｍ単位で登録することができる。
【００６４】
先端余白４１１は、画像の先端における余白の長さの調整値である。先端余白４１１として、例えば、０から５ｍｍまで０．１ｍｍ単位で登録することができる。
【００６５】
サドル折位置４１２は、フィニッシャ１０４のサドル折における折り位置の調整値である。サドル折位置４１２として、例えば、−７ｍｍから＋７ｍｍまで０．５ｍｍ単位で調整値を登録することができる。
【００６６】
クリープ補正４１３は、フィニッシャ１０４で行う中綴じ製本時に、画像位置をずらすための調整値である。クリープ補正４１３として、例えば、０から２ｍｍまで０．０５ｍｍ単位で調整値を登録することができる。
【００６７】
中綴じ製本時に内側の用紙と外側の用紙で小口側の飛び出し方が異なる。そこで、画像が印刷された部分が断裁時に切られないようにするために、プリンタエンジン２０２は、内側の用紙と外側の用紙とで用紙と画像の位置関係を徐々にずらして（ガターシフトと呼ぶ。）、印刷を行う。クリープ補正量とは、このガターシフトにおける各ページのずれ量のことである。用紙の坪量が変更された場合、用紙の厚みが変化する。このため、用紙の坪量の変更に応じて、更にクリープ補正量を変更することが望ましい。即ち、用紙の種類ごとにクリープ補正量を設定することが望ましい。
【００６８】
ファン風量４１４は、ＭＦＰ１０２が備える給紙装置（不図示）において用紙を捌くためのファンの風量の調整値である。ファン風量４１４として、例えば、−５から＋５までの１１段階から調整値を登録することができる。
【００６９】
２次転写電圧４１５は、２次転写電圧の調整値である。２次転写電圧４１５として、例えば、−１０から＋１０までの２１段階から調整値を登録することができる。２次転写電圧を調整することで、トナーの載り量を制御することができる。これにより、用紙の坪量や表面性に応じて、色の階調飛び、白抜け、トナー飛散等を抑えることができる。
【００７０】
カール補正４１６は、トナーを定着させる際の熱によってカールした用紙を補正するための調整値である。カール補正４１６として、例えば、−１０から＋１０までの２１段階から調整値を登録することができる。前述したように、用紙の坪量が変更された場合、用紙の厚みが変化する。このため、用紙の坪量の変更に応じて、更にカール補正量を変更することが望ましい。即ち、用紙の種類ごとにカール補正量を設定することが望ましい。
【００７１】
光沢調整４１７は、プリンタエンジン２０２が備える定着器（不図示）を用紙が通過するスピードを補正するための調整値である光沢調整４１７として、例えば、−２から＋２までの５段階から調整値を登録することができる。
【００７２】
上述した４０１から４０８までの各々の属性値は、基本属性のパラメータと呼ばれる。基本属性（例えば、坪量４０３、表面性４０５、形状４０６、色４０７等）のパラメータ（以降、基本パラメータと呼ぶ。）は、用紙の特性に基づく属性情報のパラメータのことである。
【００７３】
一方、上述した４０９から４１７までの各々の属性値は、調整属性のパラメータと呼ばれる。調整属性（例えば、クリープ補正４１３、カール補正４１６等）のパラメータ（以降、調整パラメータと呼ぶ。）は、その用紙情報の特性にあったデバイス（ＭＦＰ１０２、フィニッシャ１０４等）の最適制御を行うための属性情報のパラメータのことである。例えば、調整パラメータは、ＭＦＰ１０２で行われる印刷を制御するためにパラメータである。また、例えば、調整パラメータは、フィニッシャ１０４で行われるシート処理を制御するためのパラメータである。この調整パラメータを変えることで、プリンタエンジン２０２内のプロセス条件を変更したり、画像の最適化や仕上がりの適正化をしたりすることができる。
【００７４】
尚、図４で示した調整パラメータは一例であり、調整パラメータの他の例として、「定着温度の調整値」を設けてもよい。この場合、「定着温度の調整値」に従って、定着温度を調整することで、仕上がりの光沢調整を行うことができる。即ち、グロス仕上げにしたり、マット仕上げにしたりすることができる。
【００７５】
尚、用紙情報テーブル４００に対して、基本パラメータの登録は必須であるが、調整パラメータの登録は任意である。調整パラメータの登録がない場合、デフォルトとして標準値（ゼロ）が登録される。
【００７６】
用紙情報テーブル４００に登録された用紙の属性情報のパラメータ（基本パラメータ、及び調整パラメータ。以降、属性値とも呼ぶ。）は、用紙情報データベース３０９に格納される。
【００７７】
続いて、用紙情報テーブル４００に登録されている（即ち、用紙情報データベース３０９に格納されている）用紙の確認方法について、図５を用いて説明する。図５に示す選択画面５０１は、操作部２０４の表示部（不図示）に表示される。
【００７８】
選択画面５０１には、例えば、用紙情報テーブル４００に登録されている用紙の種類５０２、用紙名称５０３、及び、坪量５０４が表示される。マーク５０８が付された用紙（以降、第１タイプの用紙と呼ぶ。）は、一般的にオフィス環境で利用される用紙である。第１タイプの用紙として、例えば、普通紙、厚紙、再生紙、コート紙、両面コート紙、パンチ済み紙、ＯＨＰシート等がある。第１タイプの用紙は、用紙情報テーブル４００にテンプレートとしてデフォルトで登録されているものである。また、第１タイプの用紙は、後述する第２タイプの用紙の属性値を作成するため、第１タイプの用紙の属性値を複製して用いることができる。また、第１タイプの用紙は、第１タイプの用紙の属性値を編集したり、削除したりすることができないという制限がある。
【００７９】
一方、マーク５０９が付された用紙（以降、第２タイプの用紙と呼ぶ。）は、第１タイプの用紙の属性値を複製することによって作成される。また、第２タイプの用紙は、同じく第２タイプの用紙の属性値を複製／編集することによって作成することもできる。
【００８０】
続いて、第１タイプの用紙の属性値の確認方法、及び、第２タイプの用紙の属性値の確認／編集方法について、図６（Ａ）及び図６（Ｂ）を用いてそれぞれ説明する。
【００８１】
図５の選択画面５０１で第１タイプの用紙が選択された状態で、詳細／編集ボタン５０５がユーザによって押下された場合、図６（Ａ）に示す詳細画面６００が操作部２０４の表示部（不図示）に表示される。
【００８２】
一方、選択画面５０１で第２タイプの用紙が選択された状態で、詳細／編集ボタン５０５がユーザによって押下された場合、図６（Ｂ）に示す詳細／編集画面６１０が操作部２０４の表示部（不図示）に表示される。
【００８３】
詳細／編集画面６１０では、用紙情報テーブル４００に登録される用紙の属性値をユーザが任意に変更することができる点で、詳細画面６００とは異なる。
【００８４】
例えば、詳細／編集画面６１０で、用紙の坪量に対応する変更ボタン６１３がユーザによって押下された場合、図７に示す変更画面７００が操作部２０４の表示部（不図示）に表示される。ユーザは、変更画面７００で、プラスボタン７０２、又はマイナスボタン７０３を押下することにより、所定の範囲内で坪量を１ｇｓｍ単位で設定変更することができる。そして、ユーザは、変更した坪量を決定する場合、ＯＫボタン７０４を押下すればよく、坪量の変更をキャンセルする場合、キャンセルボタン７０５を押下すればよい。
【００８５】
第１の実施形態では、ＣＰＵ２０５は、処理が実行されるシートの特性に基づく第１の属性情報のパラメータが変更された事に従って、当該処理を制御するための複数の第２の属性情報のうち当該第１の属性情報に対応する当該第２の属性情報をユーザに通知する。これによって、処理が実行されるシートの特性に基づく第１の属性情報のパラメータが変更されたことに従って、当該処理を制御するための複数の第２の属性情報のうち当該第１の属性情報に対応する当該第２の属性情報を、ユーザが確認できるようにする。例えば、印刷処理が実行されるシートの特性に基づく属性情報である「坪量」が変更されたことに従って、ユーザは、印刷処理を制御するための属性情報である「クリープ補正」や「カール補正」等を更に変更するための確認をできるようにする。以下にその詳細を説明する。
【００８６】
第１の実施形態に係るＭＦＰ１０２において、用紙情報テーブル４００に用紙の属性値（基本パラメータの値、及び調整パラメータの値）を登録するための一連の処理を、図８に示すフローチャートを用いて説明する。この処理は、コントローラ部２０１のＣＰＵ２０５が、ＲＯＭ２０６又はＨＤＤ２０７から読み出してＲＡＭ２１３に展開された制御プログラムを実行することで行われる。また、この処理は、用紙情報テーブル４００が操作部２０４の表示部（不図示）に表示されている状態で開始される。
【００８７】
尚、選択画面５０１で第１タイプの用紙が選択された場合、削除ボタン５０７はグレイアウトされるため、ユーザは削除ボタン５０７を押下できない。なぜなら、第１タイプの用紙は、用紙情報テーブル４００にデフォルトで登録されている用紙であるため、削除することができないからである。
【００８８】
Ｓ８０１において、ＣＰＵ２０５は、選択画面５０１で用紙が選択されたか否かを判定する。ＣＰＵ２０５は、選択された（即ち、ＹＥＳ）と判定した場合、Ｓ８０２に処理を進める。一方、ＣＰＵ２０５は、選択されたと判定するまで、Ｓ８０１の処理を繰り返す。
【００８９】
Ｓ８０２において、ＣＰＵ２０５は、選択された用紙のタイプを判定する。ＣＰＵ２０５は、第１タイプの用紙が選択されたと判定した場合、Ｓ８０３に処理を進める。一方、ＣＰＵ２０５は、第２のタイプの用紙が選択されたと判定した場合、Ｓ８０９に処理を進める。
【００９０】
まず、Ｓ８０３以降の処理について説明する。
【００９１】
Ｓ８０３において、ＣＰＵ２０５は、選択画面５０１で複製ボタン５０６が押下されたか否かを判定する。ＣＰＵ２０５は、押下された（即ち、ＹＥＳ）と判定した場合、Ｓ８０４に処理を進める。一方、ＣＰＵ２０５は、ＮＯと判定した場合、Ｓ８０６に処理を進める。
【００９２】
Ｓ８０４において、ＣＰＵ２０５は、選択された用紙の属性値（基本パラメータの値、及び調整パラメータの値）を複製して、Ｓ８０５に処理を進める。
【００９３】
Ｓ８０５において、ＣＰＵ２０５は、Ｓ８０４で複製された属性値を用紙情報テーブル４００に登録する。即ち、ＣＰＵ２０５は、Ｓ８０４で複製された属性値を用紙情報データベース３０９に格納する。Ｓ８０５の処理の後、Ｓ８０１に処理を戻す。
【００９４】
Ｓ８０６において、ＣＰＵ２０５は、選択画面５０１で詳細／編集ボタン５０５が押下されたか否かを判定する。ＣＰＵ２０５は、押下された（即ち、ＹＥＳ）と判定した場合、Ｓ８０７に処理を進める。
【００９５】
Ｓ８０７において、ＣＰＵ２０５は、図６（Ａ）の詳細画面６００を操作部２０４の表示部（不図示）に表示して、Ｓ８０８に処理を進める。
【００９６】
Ｓ８０８において、ＣＰＵ２０５は、詳細画面６００でＯＫボタン６０１が押下されたか否かを判定する。ＣＰＵ２０５は、ＯＫボタン６０１が押下された（即ち、ＹＥＳ）と判定した場合、Ｓ８０１に処理を戻す。一方、ＣＰＵ２０５は、押下されたと判定するまで、Ｓ８０８の処理を繰り返す。尚、所定の時間が経過しても、ＯＫボタン６０１が押下されなかった場合、ＣＰＵ２０５は、Ｓ８０１に処理を戻してもよい。
【００９７】
続いて、Ｓ８０９以降の処理について説明する。
【００９８】
Ｓ８０９において、ＣＰＵ２０５は、選択画面５０１で削除ボタン５０７が押下されたか否かを判定する。ＣＰＵ２０５は、押下された（即ち、ＹＥＳ）と判定した場合、Ｓ８１０に処理を進める。一方、ＣＰＵ２０５は、ＮＯと判定した場合、Ｓ８１１に処理を進める。
【００９９】
Ｓ８１０において、ＣＰＵ２０５は、選択された用紙の属性値を用紙情報テーブル４００から削除する。即ち、ＣＰＵ２０５は、選択された用紙の属性値を用紙情報データベース３０９から削除する。Ｓ８１０の処理の後、Ｓ８０１に処理を戻す。
【０１００】
Ｓ８１１において、ＣＰＵ２０５は、選択画面５０１で複製ボタン５０６が押下されたか否かを判定する。ＣＰＵ２０５は、押下された（即ち、ＹＥＳ）と判定した場合、Ｓ８１２に処理を進める。一方、ＣＰＵ２０５は、ＮＯと判定した場合、Ｓ８１４に処理を進める。
【０１０１】
Ｓ８１２において、ＣＰＵ２０５は、選択された用紙の属性値を複製して、Ｓ８１３に処理を進める。
【０１０２】
Ｓ８１３において、ＣＰＵ２０５は、Ｓ８１２で複製された用紙の属性値を用紙情報テーブル４００に登録する。即ち、ＣＰＵ２０５は、Ｓ８１２で複製された用紙の属性値を用紙情報データベース３０９に格納する。そして、Ｓ８１３の処理の後、Ｓ８０１に処理を戻す。
【０１０３】
Ｓ８１４において、ＣＰＵ２０５は、選択画面５０１で詳細／編集ボタン５０５が押下されたか否かを判定する。ＣＰＵ２０５は、押下された（即ち、ＹＥＳ）と判定した場合、Ｓ８１５に処理を進める。一方、ＣＰＵ２０５は、ＮＯと判定した場合、Ｓ８０１に処理を戻す。
【０１０４】
Ｓ８１５において、ＣＰＵ２０５は、図６（Ｂ）の詳細／編集画面６１０を操作部２０４の表示部（不図示）に表示して、Ｓ８１６に処理を進める。
【０１０５】
Ｓ８１６において、ＣＰＵ２０５は、詳細／編集画面６１０でキャンセルボタン６１２が押下されたか否かを判定する。ＣＰＵ２０５は、押下された（即ち、ＹＥＳ）と判定した場合、Ｓ８０１に処理を戻す。一方、ＣＰＵ２０５は、ＮＯと判定した場合、Ｓ８１７に処理を進める。
【０１０６】
Ｓ８１７において、ＣＰＵ２０５は、詳細／編集画面６１０でＯＫボタン６１１が押下されたか否かを判定する。ＣＰＵ２０５は、押下された（即ち、ＹＥＳ）と判定した場合、Ｓ９００に処理を進める。一方、ＣＰＵ２０５は、ＮＯと判定した場合、Ｓ８１６に処理を戻す。尚、所定の時間が経過しても、キャンセルボタン６１２、及びＯＫボタン６１１のいずれも押下されなかった場合、ＣＰＵ２０５は、Ｓ８０１に処理を戻してもよい。
【０１０７】
続いて、Ｓ９００の処理の詳細について図９を用いて説明する。
【０１０８】
第１の実施形態に係るＭＦＰ１０２において、基本パラメータと調整パラメータの対応をチェックするための一連の処理を、図９に示すフローチャートを用いて説明する。この処理は、コントローラ部２０１のＣＰＵ２０５が、ＲＯＭ２０６又はＨＤＤ２０７から読み出してＲＡＭ２１３に展開された制御プログラムを実行することで行われる。
【０１０９】
Ｓ９０１において、ＣＰＵ２０５は、用紙情報テーブル４００に登録されるすべての調整パラメータの変更確認フラグの値をＦＡＬＳＥとして初期化して、Ｓ９０２に処理を進める。尚、変更確認フラグの値は、用紙情報データベース３０９に格納される。
【０１１０】
Ｓ９０２において、ＣＰＵ２０５は、用紙情報テーブル４００に登録される基本パラメータのうち、チェック対象とする基本パラメータを１つ決定して、Ｓ９０３に処理を進める。
【０１１１】
Ｓ９０３において、ＣＰＵ２０５は、Ｓ９０２で決定された基本パラメータの値に変更が有るか否かを判定する。尚、基本パラメータの変更は、図６（Ｂ）の詳細／編集画面６１０で、変更ボタン６１３がユーザによって押下されることにより行われる。ＣＰＵ２０５は、変更あり（即ち、ＹＥＳ）と判定した場合、Ｓ９０４に処理を進める。一方、ＣＰＵ２０５は、ＮＯと判定した場合、Ｓ９０９に処理を進める。
【０１１２】
Ｓ９０４において、ＣＰＵ２０５は、Ｓ９０２で決定された基本パラメータに基づいて、チェック対象とする調整パラメータを１つ決定して、Ｓ９０５に処理を進める。
【０１１３】
Ｓ９０５において、ＣＰＵ２０５は、Ｓ９０４で決定された調整パラメータの値に変更が有るか否かを判定する。尚、調整パラメータの変更は、図６（Ｂ）の詳細／編集画面６１０で、変更ボタン６１３がユーザによって押下されることにより行われる。ＣＰＵ２０５は、変更あり（即ち、ＹＥＳ）と判定した場合、Ｓ９０６に処理を進める。一方、ＣＰＵ２０５は、ＮＯと判定した場合、Ｓ９０８に処理を進める。
【０１１４】
Ｓ９０６において、ＣＰＵ２０５は、Ｓ９０４で決定された調整パラメータの値に関してユーザの確認が必要であるか否かを判定する。
【０１１５】
尚、ＣＰＵ２０５は、基本パラメータの値の変更にともなって調整パラメータの各々の値に関してユーザの確認が必要であるか否かを判定するために、図１０に示す関係テーブル１０００の値を参照する。
【０１１６】
関係テーブル１０００は、基本パラメータの値を変更した時に、各々の調整パラメータの値をそのまま保持して確定してもよいか、又は、基本パラメータの値の変更を確定する前に調整パラメータの値をユーザに確認させた方がよいかを定義したものである。関係テーブル１０００において、「Ｃ」は、基本パラメータの値の変更を確定する前にユーザに確認させる必要があるパラメータである。一方、関係テーブル１０００において、「Ｎ」は、基本パラメータの値の変更を確定する前にユーザに確認させる必要がないパラメータである。尚、「Ｃ」は「Ｃｏｎｆｉｒｍ」の略であり、「Ｎ」は「Ｎｏｎｅ」の略である。
【０１１７】
関係テーブル１０００は、用紙情報データベース３０９に格納されている。用紙情報管理部３０８は、基本パラメータを問い合わせキーとして、各々の調整パラメータが「Ｃ」であるか「Ｎ」であるかを取得する。
【０１１８】
例えば、基本パラメータである「坪量」の値の変更を確定する前に、調整パラメータである「画像位置」、「サドル折位置」、「クリープ補正」、「ファン風量」、「２次転写電圧」、「カール補正」、「光沢調整」の各値に関してユーザに確認させる必要がある。基本パラメータである「坪量」の値を変更した場合、用紙の厚さが変化する。このため、例えば、用紙の厚みに依存する「サドル折位置」や「クリープ補正」は、変更した紙の厚さに応じたパラメータを設定することが望ましい。一方、基本パラメータである「坪量」の値の変更を確定する前に、例えば、調整パラメータである「封筒フラップ」の値に関してはユーザに確認させる必要がない。なぜなら、用紙のサイズや用紙の形状によって「封筒フラップ」の位置が決まるからである。一方、「封筒フラップ」の位置は、用紙の厚みには依らない。
【０１１９】
また、例えば、基本パラメータである「サイズ」の値の変更を確定する前に、調整パラメータである「封筒フラップ」、「画像位置」、「クリープ補正」、「ファン風量」、「カール補正」の各値に関してユーザに確認させる必要がある。一方、基本パラメータである「サイズ」の値の変更を確定する前に、調整パラメータである「先端余白」、「サドル折位置」、「２次転写電圧」、「光沢調整」の各値に関してはユーザに確認させる必要がない。
【０１２０】
尚、基本パラメータと調整パラメータの対応（例えば、依存関係）の具体例について、図１０に例示したが、これに限られない。基本パラメータと調整パラメータの対応（例えば、依存関係）を定義するために、各々の調整パラメータが「Ｃ」であるか「Ｎ」であるかを、ユーザが任意に設定してもよい。尚、関係テーブル１０００には、基本パラメータのそれぞれに対して、各々の調整パラメータが「Ｃ」であるか「Ｎ」であるかが設定される場合について説明したが、これに限られない。関係テーブル１０００は、基本パラメータのそれぞれに対して、「Ｃ」が設定された調整パラメータのみを管理する形式であってもよい。
【０１２１】
Ｓ９０６において、ＣＰＵ２０５は、Ｓ９０４で決定された調整パラメータの値に関してユーザの確認が必要である（即ち、ＹＥＳ）と判定した場合、Ｓ９０７に処理を進める。一方、ＣＰＵ２０５は、ＮＯと判定した場合、Ｓ９０８に処理を進める。
【０１２２】
Ｓ９０７において、ＣＰＵ２０５は、Ｓ９０４で決定された調整パラメータの変更確認フラグの値をＴＲＵＥとして保存して、Ｓ９０８に処理を進める。尚、変更確認フラグの値は、用紙情報データベース３０９に格納される。
【０１２３】
Ｓ９０８において、ＣＰＵ２０５は、Ｓ９０２で決定された基本パラメータに基づいて、すべての調整パラメータのチェックが完了したか否かを判定する。ＣＰＵ２０５は、完了した（即ち、ＹＥＳ）と判定した場合、Ｓ９０９に処理を進める。一方、ＣＰＵ２０５は、ＮＯと判定した場合、Ｓ９０４に処理を進める。
【０１２４】
Ｓ９０９において、ＣＰＵ２０５は、すべての基本パラメータのチェックが完了したか否かを判定する。ＣＰＵ２０５は、完了した（即ち、ＹＥＳ）と判定した場合、図９に係る一連の処理を終了し、図８のＳ８１８に処理を進める。一方、ＣＰＵ２０５は、ＮＯと判定した場合、Ｓ９０２に処理を戻す。
【０１２５】
尚、Ｓ９０５において、ＣＰＵ２０５がＹＥＳと判定した場合（即ち、Ｓ９０４で決定された調整パラメータの値に変更が有った場合）、Ｓ９０６の処理を行わずに、Ｓ９０８に処理を進める場合について説明したが、これに限られない。Ｓ９０４で決定された調整パラメータの値の変更の有無にかかわらずに、ＣＰＵ２０５は、Ｓ９０６の処理を行ってもよい。この場合、ＣＰＵ２０５は、Ｓ９０４の処理を行った後、Ｓ９０５の処理を省略し、Ｓ９０６に処理を進めてもよい。
【０１２６】
続いて、図８のＳ８１８以降の処理について説明する。
【０１２７】
Ｓ８１８において、ＣＰＵ２０５は、用紙情報データベース３０９に格納されている変更確認フラグの値を参照し、変更確認フラグの値がＴＲＵＥである調整パラメータが有るか否かを判定する。ＣＰＵ２０５は、有り（即ち、ＹＥＳ）と判定した場合、Ｓ８１９に処理を進める。一方、ＣＰＵ２０５は、ＮＯと判定した場合、Ｓ８２２に処理を進める。
【０１２８】
Ｓ８１９において、ＣＰＵ２０５は、図１１に示す変更確認画面１１００を操作部２０４の表示部（不図示）に表示して、Ｓ８２０に処理を進める。尚、変更確認画面１１００が操作部２０４の表示部に表示されることによって、変更確認フラグの値がＴＲＵＥである調整パラメータ（図１１の例では、「２次転写電圧」、及び「ファン風量」）が警告メッセージ１１０１として、ユーザに通知される。尚、変更確認画面１１００で、変更確認フラグの値がＴＲＵＥである調整パラメータに関して、現在の値を使用する（１１１１）、すべてデフォルトの値に戻す（１１１２）、又は、詳細／編集画面に戻る（１１１３）、をユーザは任意に選択することができる。
【０１２９】
図１１の例では、調整パラメータである「２次転写電圧」、及び「ファン風量」の値のいずれもデフォルトの値（例えば、ゼロ）に戻したい場合、ユーザは、変更確認画面１１００でボタン１１１２を押下すればよい。これにより、調整パラメータである「２次転写電圧」、及び「ファン風量」の値のいずれもデフォルトの値（例えば、ゼロ）に戻して、用紙情報テーブル４００に登録することができる。
【０１３０】
一方、調整パラメータである「２次転写電圧」、及び「ファン風量」の値を変更することなく、現在の値を使用したい場合、ユーザは、変更確認画面１１００でボタン１１１１を押下すればよい。これにより、調整パラメータである「２次転写電圧」、及び「ファン風量」のいずれも現在の値のまま、用紙情報テーブル４００に登録することができる。
【０１３１】
一方、調整パラメータである「２次転写電圧」、及び「ファン風量」の値を再調整したい場合、ユーザは、変更確認画面１１００でボタン１１１３を押下すればよい。これにより、図６（Ｂ）の詳細／編集画面６１０が操作部２０４の表示部（不図示）に表示されるため、ユーザは、「２次転写電圧」、及び「ファン風量」の値を任意に変更することができる。
【０１３２】
Ｓ８２０において、ＣＰＵ２０５は、変更確認画面１１００でユーザの指示（ボタン１１１１、ボタン１１１２、ボタン１１１３のいずれかの押下）を受け付けたか否かを判定する。ＣＰＵ２０５は、受け付けた（即ち、ＹＥＳ）と判定した場合、Ｓ８２１に処理を進める。一方、ＣＰＵ２０５は、受け付けたと判定するまで、Ｓ８２０の処理を繰り返す。尚、所定の時間が経過しても、変更確認画面１１００で、ボタン１１１１、ボタン１１１２、ボタン１１１３のいずれも押下されない場合、ＣＰＵ２０５は、Ｓ８０１に処理を戻してもよい。
【０１３３】
Ｓ８２１において、ＣＰＵ２０５は、変更確認画面１１００でユーザから受け付けた指示が、「現在の値を使用する（１１１１）」であるか、「すべてデフォルトの値に戻す（１１１２）」であるか、「詳細／編集画面に戻る（１１１３）」であるかを判定する。尚、「現在の値を使用する（１１１１）」とは、変更確認フラグの値がＴＲＵＥである調整パラメータについて、図６（Ｂ）の詳細／編集画面６１０に表示されている値（即ち、現在の値）を用紙情報テーブル４００に登録することを意味する。
【０１３４】
Ｓ８２１において、ＣＰＵ２０５は、変更確認画面１１００でユーザから受け付けた指示が「現在の値を使用する（１１１１）」であると判定した場合、Ｓ８２２に処理を進める。
【０１３５】
Ｓ８２２において、ＣＰＵ２０５は、すべての基本パラメータの現在の値、及び、すべての調整パラメータの現在の値を用紙情報テーブル４００に登録する。即ち、ＣＰＵ２０５は、すべての基本パラメータの現在の値、及び、すべての調整パラメータの現在の値を用紙情報データベース３０９に格納する。そして、Ｓ８２２の処理の後、Ｓ８０１に処理を戻す。尚、選択画面５０１のログアウトボタン（不図示）が押下された場合、ＣＰＵ２０５は、図８に係る一連の処理を終了してもよい。
【０１３６】
一方、Ｓ８２１において、ＣＰＵ２０５は、変更確認画面１１００でユーザから受け付けた指示が「すべてデフォルトの値に戻す（１１１２）」であると判定した場合、Ｓ８２３に処理を進める。
【０１３７】
Ｓ８２３において、ＣＰＵ２０５は、すべての基本パラメータの現在の値、及び、変更確認フラグの値がＦＡＬＳＥである調整パラメータの現在の値を用紙情報テーブル４００に登録する。即ち、ＣＰＵ２０５は、すべての基本パラメータの現在の値、及び、変更確認フラグの値がＦＡＬＳＥである調整パラメータの現在の値を用紙情報データベース３０９に格納する。そして、Ｓ８２３の処理の後、Ｓ８２４に処理を進める。
【０１３８】
Ｓ８２４において、ＣＰＵ２０５は、変更確認フラグの値がＴＲＵＥである調整パラメータの値を、すべてデフォルトの値に戻して、用紙情報テーブル４００に登録する。即ち、ＣＰＵ２０５は、変更確認フラグの値がＴＲＵＥである調整パラメータの値を、すべてデフォルトの値に戻して、用紙情報データベース３０９に格納する。そして、Ｓ８２３の処理の後、Ｓ８０１に処理を戻す。尚、選択画面５０１のログアウトボタン（不図示）が押下された場合、ＣＰＵ２０５は、図８に係る一連の処理を終了してもよい。
【０１３９】
一方、Ｓ８２１において、ＣＰＵ２０５は、変更確認画面１１００でユーザから受け付けた指示が「詳細／編集画面に戻る（１１１３）」であると判定した場合、Ｓ８１５に処理を戻す。
【０１４０】
以上が、第１の実施形態に係るＭＦＰ１０２において、用紙情報テーブル４００に用紙の属性値（基本パラメータの値、及び調整パラメータの値）を登録するための一連の処理である。
【０１４１】
以上説明したように本発明を適用した第１の実施形態では、以下の効果を有する。即ち、処理が実行されるシートの特性に基づく第１の属性情報のパラメータが変更されたことに従って、当該処理を制御するための複数の第２の属性情報のうち当該第１の属性情報に対応する当該第２の属性情報を、ユーザが確認することができる。これにより、例えば、印刷処理が実行されるシートの特性に基づく属性情報である「坪量」が変更されたことに従って、ユーザは、印刷処理を制御するための属性情報である「クリープ補正量」や「カール補正量」等を更に変更するための確認をすることができる。
【０１４２】
本発明は上記実施形態に限定されるものではなく、本発明の趣旨に基づき種々の変形（各実施形態の有機的な組合せを含む）が可能であり、それらを本発明の範囲から除外するものではない。
【０１４３】
例えば、前述した図８のＳ８２２で、ＣＰＵ２０５は、すべての調整パラメータについて、現在の値を用紙情報テーブル４００に登録する場合について説明したが、これに限られない。ＣＰＵ２０５は、変更確認フラグの値がＴＲＵＥである調整パラメータのうち、ユーザが任意に選択した調整パラメータのみについて、現在の値を用紙情報テーブル４００に登録してもよい。
【０１４４】
また、例えば、Ｓ８２４で、ＣＰＵ２０５は、変更確認フラグの値がＴＲＵＥである調整パラメータの値を、すべてデフォルトの値に戻して、用紙情報テーブル４００に登録する場合について説明したが、これに限られない。ＣＰＵ２０５は、変更確認フラグの値がＴＲＵＥである調整パラメータのうち、ユーザが任意に選択した調整パラメータのみについてデフォルトの値に戻して、用紙情報テーブル４００に登録してもよい。
【０１４５】
また、例えば、Ｓ８１７の処理の後、図９のＳ９００に処理を進める場合について説明したが、これに限られない。
【０１４６】
Ｓ８１７の処理の後、ＣＰＵ２０５は、すべての基本パラメータの現在の値、及び、すべての調整パラメータの現在の値を用紙情報テーブル４００に一旦登録する（前述したＳ８２２の処理に相当）。そして、用紙情報テーブル４００に一旦登録された後に、Ｓ９００に処理を進めてもよい。
【０１４７】
また、例えば、Ｓ８１８において、ＣＰＵ２０５は、変更確認フラグの値がＴＲＵＥである調整パラメータが有る（即ち、ＹＥＳ）と判定された場合、Ｓ８１９に処理を進めて、変更確認画面１１００を表示する場合について説明したが、これに限られない。ＣＰＵ２０５は、変更確認画面１１００を表示する事なく（即ち、ユーザの指示なしに）、変更確認フラグの値がＴＲＵＥである調整パラメータの値をすべてデフォルトの値に戻して、用紙情報テーブル４００に登録してもよい（前述したＳ８２４の処理に相当）。
【０１４８】
また、例えば、Ｓ８１７において、ＣＰＵ２０５は、詳細／編集画面６１０でＯＫボタン６１１が押下されたと判定した場合に、Ｓ９００に処理を進める場合について説明したが、これに限られない。ＯＫボタン６１１が押下される前に、詳細／編集画面６１０で変更ボタン６１３がユーザによって押下されたことに従って、ＣＰＵ２０５は、Ｓ９００に処理を進めてもよい。もしくは、ＯＫボタン６１１が押下される前に、図７の変更画面７００のＯＫボタン７０４がユーザによって押下されたことに従って、ＣＰＵ２０５は、Ｓ９００に処理を進めてもよい。即ち、基本パラメータの値を変更するための操作がユーザによって行われたことに従って、ＣＰＵ２０５は、Ｓ９００に処理を進めてもよい。
【０１４９】
また、Ｓ９００の処理を実行した後、Ｓ８１８で、ＣＰＵ２０５は、変更確認フラグの値がＴＲＵＥである調整パラメータが有る（即ち、ＹＥＳ）と判定した場合、図１２に示す詳細／編集画面１２００を操作部２０４の表示部（不図示）に表示してもよい。尚、詳細／編集画面１２００において、図６（Ｂ）の詳細／編集画面６１０と比較して、変更確認フラグの値がＴＲＵＥである調整パラメータが反転表示（１２０１）される点が異なる。図１２の例では、「サドル折位置」、「クリープ補正量調整」、及び「ファン風量調整」が反転表示されている。これにより、ユーザは、反転表示されているこれらの調整パラメータの値を変更するかどうか、又は、現在の値のままにするかどうかを任意に決めることができる。尚、詳細／編集画面１２００を表示する場合、図１１の変更確認画面１１００を操作部２０４の表示部（不図示）に表示することを省略してもよく、その場合、ＣＰＵ２０５は、Ｓ８１９以降の処理を省略してもよい。尚、詳細／編集画面１２００では、変更確認フラグの値がＴＲＵＥである調整パラメータが反転表示（１２０１）される場合について例示したが、これに限られない。詳細／編集画面１２００で、変更確認フラグの値がＴＲＵＥである調整パラメータに対して、反転表示する代わりに、アイコンや記号等を表示することによって強調表示してもよい。もしくは、詳細／編集画面１２００で、変更確認フラグの値がＴＲＵＥである調整パラメータに対して、反転表示（１２０１）と共に、アイコンや記号等を更に表示することによって強調表示してもよい。
【０１５０】
また、例えば、用紙情報テーブル４００（用紙情報データベース３０９）には、Ａ４、Ａ５、レター、リーガル等の定形用紙の属性値や、任意の大きさを持つカスタム用紙の属性値が登録（格納）される場合について説明したが、これに限られない。用紙情報テーブル４００（用紙情報データベース３０９）には、用紙の属性値の他に、透明フィルムやＯＨＰシート等の用紙以外のシートの属性値を登録（格納）してもよい。
【０１５１】
尚、用紙情報データベース３０９は、ＭＦＰ１０２のコントローラ部２０１が有するＨＤＤ２０７に格納されている場合について説明したが、これに限られない。印刷制御装置としての外付けのプリントサーバ（不図示）が、ＬＡＮ１０５を介してＭＦＰ１０２と接続されている場合、用紙情報データベース３０９は、印刷制御装置としての外付けのプリントサーバ（不図示）に格納されていてもよい。この場合、印刷制御装置としてのプリントサーバ（不図示）の処理を介して、上記各種制御の一部又は全部を実行可能に構成しても良い。尚、印刷制御装置としてのプリントサーバ（不図示）は、ＰＣ１０１に含まれていてもよい。また、印刷制御装置としてのプリントサーバ（不図示）は、外付けである場合に限らずＭＦＰ１０２に含まれていてもよい。
【０１５２】
以上、本発明の様々な例と実施形態を示して説明したが、本発明の趣旨と範囲は、本明細書内の特定の説明に限定されるものではない。
【０１５３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１５４】
１０２  ＭＦＰ
２０５  ＣＰＵ
２０７  ＨＤＤ
３０９  用紙情報データベース
４００  用紙情報テーブル
７００  変更画面
１０００  関係テーブル
１１００  変更確認画面
【図１】
2016175253.tif 000003
【図２】
2016175253.tif 000004
【図３】
2016175253.tif 000005
【図４】
2016175253.tif 000006
【図５】
2016175253.tif 000007
【図６】
2016175253.tif 000008
【図７】
2016175253.tif 000009
【図８】
2016175253.tif 000010
【図９】
2016175253.tif 000011
【図１０】
2016175253.tif 000012
【図１１】
2016175253.tif 000013
【図１２】
2016175253.tif 000014